(57)【要約】【課題】透明部材を着脱する際に透明部材保持枠の開放角度が僅かであっても、ストッパーが操作できる遊技機を提供する。【解決手段】透明部材保持枠１１は、取付ベース部材３６と、透明部材１２を上方から収納する透明部材収納フレーム３７と、該透明部材収納フレーム３７に収納された透明部材１２の上端に当接可能な当接部５３を有し、透明部材１２の上方向への移動を規制する上方向移動規制手段とを備え、透明部材ストッパー３８は、前記透明部材１２の上方において横方向に移動可能な上方向移動規制部材５４を備え、該上方向移動規制部材５４を移動して前記当接部５３を前記透明部材１２の上端に位置させる第１状態と、前記上方向移動規制部材５４を移動して前記当接部５３を前記透明部材１２の上端から外れた第２状態とに変換可能とした。【選択図】    図８
2004298543.tif 000002
【特許請求の範囲】
【請求項１】
遊技領域を形成した遊技盤が取り付けられた前面枠と、前記遊技領域の前方を覆う透明部材を保持して前記前面枠の前面側に対して開閉可能に取り付けられた透明部材保持枠とを備える遊技機において、
前記透明部材保持枠は、
前記前面枠の一側に回動可能に軸支するための取付ベース部材と、
前記取付ベース部材に取り付けられ、前記透明部材を上方から収納する透明部材収納フレームと、
前記透明部材収納フレームに収納された透明部材の上方向への移動を規制する上方向移動規制手段と、
を備え、
前記上方向移動規制手段は、
前記透明部材を上方向へ所定距離移動すると前記透明部材の上端が当接し、透明部材がさらに上方向へ移動しないように規制する上方向移動規制部材を備え、
前記上方向移動規制部材を横方向に移動することで、前記透明部材の上方向の移動を規制する第１状態と、前記透明部材の上方向の移動を規制しない第２状態とに変換可能であることを特徴とする遊技機。
【請求項２】
前記透明部材保持枠は、
前記上方向移動規制手段を第１状態あるいは第２状態に維持可能な状態維持部を備え、
前記状態維持部は、前記取付ベース部材に切り欠き形状であって、第１状態に維持するための第１状態維持部と、第２状態に維持するための第２状態維持部とを上方向移動規制部材の移動方向に並べて構成され、第１状態維持部を透明部材保持枠の回動軸寄りに形成し、第２状態維持部を透明部材保持枠の自由端寄りに形成し、
前記上方向移動規制部材は、状態維持部に係合可能な係合突起を備え、
前記係合突起を第１状態維持部に係合すると、上方向移動規制部材を第１状態に維持し、係合突起を第２状態維持部に係合すると、上方向移動規制部材を第２状態に維持するようにしたことを特徴とする請求項１に記載の遊技機。
【請求項３】
前記上方向移動規制部材は、
前記透明部材保持枠の後方に向かって突設し、前記第１状態あるいは第２状態に変換操作するための操作部を備え、
前記前面枠は、
第１状態における前記操作部を収納する操作部用収納部と、第２状態における前記操作部が当接可能な操作部用当接部とを備え、
前記上方向移動規制手段を第１状態に変換して前記透明部材保持枠を閉じると、前記操作部が操作部用収納部に収納されて透明部材保持枠が正常位置で閉状態となり、
前記上方向移動規制手段が第２状態に変換されたままの状態で前記透明部材保持枠を閉じると、前記操作部が操作部用当接部に当接して透明部材保持枠が正常位置まで閉じることを阻止されるようにしたことを特徴とする請求項１または請求項２に記載の遊技機。
【請求項４】
前記前面枠は、
前記操作部が前記操作部用収納部に収納されているか否かを検出することで透明部材保持枠の開閉状態を検出可能な保持枠状態検出手段を備えたことを特徴とする請求項３に記載の遊技機。
【請求項５】
前記操作部と前記操作部用当接部との間に緩衝部材を配設し、
前記緩衝部材は、
前記操作部と前記操作部用当接部とが衝接する際に生じる衝撃力を緩和することを特徴とする請求項３または請求項４に記載の遊技機。
【請求項６】
前記前面枠は、
前記操作部用当接部と操作部用収納部との間に、前記操作部を操作部用収納部の方向に誘導する状態変換誘導空間を設け、
前記第２状態における操作部を前記操作部用当接部に当接させながら前記透明部材保持枠を閉じると、前記操作部が前記状態変換誘導空間を移動して前記操作部用収納部に誘導されて、前記上方向移動規制手段が第２状態から第１状態へ変換するようにしたことを特徴とする請求項３から請求項５のいずれかに記載の遊技機。
【請求項７】
前記操作部用当接部は、
前記操作部用収納部へ向かって傾斜した誘導傾斜部を形成し、
前記上方向移動規制部材が第２状態に変換されたままの状態で前記透明部材保持枠と閉じると、前記操作部が誘導傾斜部に当接しながら前記状態変換誘導空間を移動し、操作部用収納部へ収納されることを特徴とする請求項６に記載の遊技機。
【請求項８】
前記上方向移動規制部材を第２状態から第１状態への移動方向に向かって付勢する付勢手段を備えたことを特徴とする請求項１から請求項７のいずれかに記載の遊技機。
【発明の詳細な説明】
【０００１】
【発明の属する技術分野】
本発明は、遊技領域の前方を透明部材で覆い、この透明部材を保持する透明部材保持枠を備えた遊技機であって、透明部材を上にずらして行われる不正行為を未然に防止できるパチンコ遊技機などの遊技機に関する。
【０００２】
【従来の技術】
従来の遊技機、例えばパチンコ遊技機は、透明部材保持枠の裏側に横コ字状の透明部材収納フレームを備え、該透明部材収納フレームの上方からガラス板等の透明部材を差し込んで保持しており、この透明部材で遊技領域の前方を覆っている。しかし、この透明部材は、上端が固定されておらず、遊技中であっても遊技者が動かそうとすれば上方に動いてしまう。このような構成を有するパチンコ遊技機は、透明部材をずらすと透明部材保持枠との間に隙間ができてしまい、この隙間から不正部材を侵入されて、遊技領域に対して不正行為をされる虞がある。そこで、この不正行為の虞を解決するために、透明部材の上方向移動規制手段（ストッパー）を透明部材保持枠に備えたパチンコ遊技機が提案されている（例えば、特許文献１および２参照。）。
【０００３】
【特許文献１】
特開平９−２９９５７４号公報（第２頁，第１図）
【特許文献２】
特開平１０−９４６５１号公報（第８頁，第２３図）
【０００４】
【発明が解決しようとする課題】
ところが、上記した従来のパチンコ遊技機において、ストッパーを透明部材の上端から外すためには、工具を用いて止着部材を取り外したり、あるいは透明部材の全幅に亘るストッパーを回動させたりしなければならなかった。そして、透明部材保持枠の軸着側にもストッパーがあり、このストッパーを取り外すための作業空間、あるいはストッパー自体を退避させるための空間を確保する必要があった。したがって、これらの空間を得るには、透明部材保持枠を前面枠に対して大きく開かなければならず、面倒であり、また、交換作業の効率向上の妨げとなっていた。
【０００５】
また、上記した従来のパチンコ遊技機において、ストッパーを操作し忘れて、それに気づかずに透明部材保持枠を閉じてしまうと、透明部材の上方向への移動を規制することができず、不正行為をなされてしまう虞がある。また、透明部材保持枠と衝突して、ストッパーが破損してしまう虞がある。
【０００６】
そして、特別なストッパーを備えないパチンコ遊技機は、前面枠に対して透明部材を閉じた状態で、前面枠の開口部の内周壁上部により透明部材の上方向への移動を規制していた。しかし、このような構成では、透明部材保持枠が回動できるようにするために、透明部材保持枠に保持された状態の透明部材保持枠の上端と、前面枠の開口部の内周壁上部との間に所定の間隙を設けなければならない。ところが、この隙間から不正部材（針金等）を侵入させて不正行為が行われる虞がある。
【０００７】
そこで、本発明は、上記の事情に鑑みてなされたものであり、その目的は、透明部材を着脱する際に透明部材保持枠の開放度合が僅かであっても、ストッパーが操作できる遊技機を提供しようとするものである。
【０００８】
また、本発明は、ストッパーを操作し忘れても透明部材の上方向への移動を規制することができる遊技機を提供するものである。
【０００９】
【課題を解決するための手段】
本発明は、上記目的を達成するために提案されたものであり、請求項１に記載のものは、遊技領域を形成した遊技盤が取り付けられた前面枠と、前記遊技領域の前方を覆う透明部材を保持して前記前面枠の前面側に対して開閉可能に取り付けられた透明部材保持枠とを備える遊技機において、
前記透明部材保持枠は、
前記前面枠の一側に回動可能に軸支するための取付ベース部材と、
前記取付ベース部材に取り付けられ、前記透明部材を上方から収納する透明部材収納フレームと、
前記透明部材収納フレームに収納された透明部材の上方向への移動を規制する上方向移動規制手段と、
を備え、
前記上方向移動規制手段は、
前記透明部材を上方向へ所定距離移動すると前記透明部材の上端が当接し、透明部材がさらに上方向へ移動しないように規制する上方向移動規制部材を備え、
前記上方向移動規制部材を横方向に移動することで、前記透明部材の上方向の移動を規制する第１状態と、前記透明部材の上方向の移動を規制しない第２状態とに変換可能であることを特徴とする遊技機である。
【００１０】
請求項２に記載のものは、前記透明部材保持枠は、
前記上方向移動規制手段を第１状態あるいは第２状態に維持可能な状態維持部を備え、
前記状態維持部は、前記取付ベース部材に切り欠き形状であって、第１状態に維持するための第１状態維持部と、第２状態に維持するための第２状態維持部とを上方向移動規制部材の移動方向に並べて構成され、第１状態維持部を透明部材保持枠の回動軸寄りに形成し、第２状態維持部を透明部材保持枠の自由端寄りに形成し、
前記上方向移動規制部材は、状態維持部に係合可能な係合突起を備え、
前記係合突起を第１状態維持部に係合すると、上方向移動規制部材を第１状態に維持し、係合突起を第２状態維持部に係合すると、上方向移動規制部材を第２状態に維持するようにしたことを特徴とする請求項１に記載の遊技機である。
【００１１】
請求項３に記載のものは、前記上方向移動規制部材は、
前記透明部材保持枠の後方に向かって突設し、前記第１状態あるいは第２状態に変換操作するための操作部を備え、
前記前面枠は、
第１状態における前記操作部を収納する操作部用収納部と、第２状態における前記操作部が当接可能な操作部用当接部とを備え、
前記上方向移動規制手段を第１状態に変換して前記透明部材保持枠を閉じると、前記操作部が操作部用収納部に収納されて透明部材保持枠が正常位置で閉状態となり、
前記上方向移動規制手段が第２状態に変換されたままの状態で前記透明部材保持枠を閉じると、前記操作部が操作部用当接部に当接して透明部材保持枠が正常位置まで閉じることを阻止されるようにしたことを特徴とする請求項１または請求項２に記載の遊技機である。
【００１２】
ここで、「正常位置」とは、透明部材保持枠が前面枠に対して十分に閉じた状態になる位置であることをいう。
【００１３】
請求項４に記載のものは、前記前面枠は、
前記操作部が前記操作部用収納部に収納されているか否かを検出することで透明部材保持枠の開閉状態を検出可能な保持枠状態検出手段を備えたことを特徴とする請求項３に記載の遊技機である。
【００１４】
請求項５に記載のものは、前記操作部と前記操作部用当接部との間に緩衝部材を配設し、
前記緩衝部材は、
前記操作部と前記操作部用当接部とが衝接する際に生じる衝撃力を緩和することを特徴とする請求項３または請求項４に記載の遊技機である。
【００１５】
請求項６に記載のものは、前記前面枠は、
前記操作部用当接部と操作部用収納部との間に、前記操作部を操作部用収納部の方向に誘導する状態変換誘導空間を設け、
前記第２状態における操作部を前記操作部用当接部に当接させながら前記透明部材保持枠を閉じると、前記操作部が前記状態変換誘導空間を移動して前記操作部用収納部に誘導されて、前記上方向移動規制手段が第２状態から第１状態へ変換するようにしたことを特徴とする請求項３から請求項５のいずれかに記載の遊技機である。
【００１６】
請求項７に記載のものは、前記操作部用当接部は、
前記操作部用収納部へ向かって傾斜した誘導傾斜部を形成し、
前記上方向移動規制部材が第２状態に変換されたままの状態で前記透明部材保持枠と閉じると、前記操作部が誘導傾斜部に当接しながら前記状態変換誘導空間を移動し、操作部用収納部へ収納されることを特徴とする請求項６に記載の遊技機である。
【００１７】
請求項８に記載のものは、前記上方向移動規制部材を第２状態から第１状態への移動方向に向かって付勢する付勢手段を備えたことを特徴とする請求項１から請求項７のいずれかに記載の遊技機である。
【００１８】
【発明の実施の形態】
以下、代表的な遊技機であるパチンコ遊技機を例に挙げて本発明の実施の形態を図面に基づき説明する。図１はパチンコ遊技機の正面図、図２は背面図である。
【００１９】
パチンコ遊技機１は、図１に示すように、機枠（本体枠）２に大きな開口部を有する額縁状の前面枠３を開閉可能に備え、この前面枠３のベースとなる前面枠ベース部材（前面枠本体）４の裏側に設けられた遊技盤収納フレーム内に遊技盤５を収納し、遊技盤５の表面には、表示装置６、大入賞口７、一般入賞口８、アウト口９…などを配設した遊技領域１０を形成して、この遊技領域１０の前方を透明部材保持枠（ガラス枠）１１に保持された透明部材（ガラス板）１２で覆い、透明部材保持枠１１の下方に上皿ユニット１３と下皿ユニット１４とを上下に並べて備え、上皿ユニット１３の表側に上皿（球供給皿）１５を配設し、下皿ユニット１４の表側中央に下皿１６を、左側に灰皿１７を、右側に取付基部１９をそれそれぞれ配設し、該取付基部１９には発射操作ユニット（発射操作ハンドル）２０を取り付けている（図３参照）。なお、透明部材保持枠１１については、後で詳しく説明する。
【００２０】
また、パチンコ遊技機１の裏側には、図２に示すように、裏機構盤２５の上部に球タンク２６を、その下方に球タンク２６内の遊技球を誘導する球誘導樋２７を設け、球誘導樋２７の下端に連通させて排出ユニット２８を設け、排出ユニット２８が作動することにより所定数の遊技球を流下し、これらの遊技球を上皿１５または下皿１６に払い出すように構成してある。さらに、裏機構盤２５には、演出制御装置３０、発射排出制御装置３１等の各制御装置を取り付けるとともに、各制御装置に電源を供給する電源回路３２を取り付けている。
【００２１】
次に、透明部材保持枠１１について説明する。
透明部材保持枠１１は、図４および図５に示すように、前面枠３の前面を装飾する枠状の装飾部材３５と、該装飾部材３５を前面に取り付けた枠状の取付ベース部材３６と、該取付ベース部材３６の裏側に取り付けられて、透明部材１２を上方から収納する透明部材収納フレーム（ガラス収納フレーム）３７と、該透明部材収納フレーム３７に収納した透明部材１２が上方向へ移動することを規制する透明部材ストッパー（ガラスストッパー）３８（本発明の上方向移動規制手段に相当）とから概略構成されている。
【００２２】
装飾部材３５および取付ベース部材３６は、遊技領域１０の前方に大きな略円状の開口部４０をそれぞれ開設しており、この開口部４０から遊技領域１０を臨ませ、左右両側にスピーカー４１を、下部に球貸操作ユニット４２を備えている。また、取付ベース部材３６は、前面枠３の一側に回動可能に軸支するための部材であり、一側（図５中右側）の上下両部にヒンジ部４４を設けており、該ヒンジ部４４を前面枠ベース部材４に軸着して、前面枠ベース部材４に回動自在に取り付けられている。なお、このヒンジ部４４は、上ヒンジ部４４ａと下ヒンジ部４４ｂとから構成されている。上ヒンジ部４４ａは、上方向に付勢された状態で上下に移動可能な上ヒンジピン４４ｃを備え、下ヒンジ部４４ｂは、下ヒンジ穴４４ｄを開設してある。そして、透明部材保持枠１１を前面枠３に取り付けるには、まず下ヒンジ穴４４ｄを前面枠３のヒンジピン３ａに引っ掛け、上ヒンジピン４４ｃを下方に移動した状態で前面枠の上側のピン受け穴３ｂの下方に配置し、上ヒンジピン４４ｃを付勢力により上へ移動させればよい。このようにして、透明部材保持枠１１は、前面枠３に対して開閉可能となるように構成されている。
【００２３】
透明部材収納フレーム３７は、取付ベース部材３６に取り付けられて、装飾部材３５の開口部４０ａを裏側から塞ぐ状態で透明部材１２を保持する部材であり、図５に示すように、透明部材保持枠１１の回動軸側（図中右側）に取り付けられた縦長な回動軸側フレーム部材４６と、透明部材保持枠１１の自由端側（図中左側）に取り付けられた縦長な自由端側フレーム部材４７と、回動軸側フレーム部材４６および自由端側フレーム部材４７の下端同士を接続する横長な下部フレーム部材４８とから構成されている。そして、この透明部材収納フレーム３７は、内郭面に嵌合溝５０をそれぞれ設け、該嵌合溝５０を矩形状の透明部材１２の輪郭に合わせて横コ字状に配置している。このような嵌合溝５０を形成することで、透明部材収納フレーム３７は、透明部材１２の左右両辺および下辺を保持することができる。なお、本実施形態の透明部材保持枠１１は、２条（２本）の嵌合溝５０を略平行に形成して、２枚の透明部材１２を離間した状態で保持できるように構成されている。また、透明部材保持枠１１は、取付ベース部材３６の裏側であって、透明部材収納フレーム３７の上方に補強部材５１を取り付けて、どのフレーム部材も取り付かない上辺を補強している。
【００２４】
次に、透明部材ストッパー３８について説明する。
透明部材ストッパー３８は、透明部材１２の上端を押さえて、透明部材収納フレーム３７に透明部材１２を保持し続けるためのものである。この透明部材ストッパー３８は、図６〜９に示すように、透明部材保持枠１１の自由端側に備えられており、当接部５３と操作ハンドル５６（本発明の操作部に相当）とを形成する上方向移動規制部材５４と、上方向移動規制部材５４を横方向にガイドするガイドベース５７とから構成されている。なお、当接部５３は透明部材１２の上端に当接する部材であり、操作ハンドル５６は上方向移動規制部材５４の位置を操作するための部材である。また、上方向移動規制部材５４は、透明部材１２を上方向へ所定距離移動すると透明部材１２の上端が当接し、透明部材１２がさらに上方向へ移動しないように規制する部材である。そして、本実施形態の透明部材ストッパー３８は、上方向移動規制部材５４と操作ハンドル５６とを一体にして、ガイドベース５７から透明部材保持枠１１の後方に向かって突設し、上方向移動規制部材５４の下面に当接部５３を形成しているが、上方向移動規制部材５４と操作ハンドル５６とを別体にしてガイドベース５７に設けてもよい。また、ガイドベース５７は、上下端部を取付ベース部材３６に形成したガイド溝５９に係合している。このガイド溝５９は、上方向移動規制部材５４の移動方向に沿って上下に備えられ、上方向移動規制部材５４が前後方向へ移動することなく、横方向へ移動できるように構成されている。そして、ガイド溝５９のうち、上側ガイド溝５９ａは、補強部材５１の下部を取付ベース部材３６から離間させることで形成されている（図８および図９参照）。
【００２５】
このような構成を備えた透明部材ストッパー３８は、上方向移動規制部材５４、すなわち操作ハンドル５６および当接部５３を透明部材保持枠１１の回動軸側へ横方向に移動すると、透明部材１２の上方に移動し、当接部５３が透明部材１２の上端に位置して当接する。すなわち、この透明部材ストッパー３８は、図６中に実線で示すように、透明部材１２が上方へ移動するのを規制（阻止）する第１状態に状態変換することができる。なお、透明部材１２と当接部５３との間には、不正部材の侵入はできないが、透明部材１２の寸法誤差や取付誤差等を吸収可能な程度の隙間（例えば、５ｍｍ）が形成される。一方、操作ハンドル５６および当接部５３を透明部材保持枠１１の自由端側に移動すると、この透明部材ストッパー３８は、図６の破線で示すように、透明部材１２の上方から横に移動するとともに、当接部５３が透明部材１２の上端から外れる。すなわち、この透明部材ストッパー３８は、透明部材１２の上方への移動を許容する（規制しない）第２状態に状態変換することができる。
【００２６】
また、透明部材保持枠１１は、取付ベース部材３６のガイド溝５９の内側に切り欠き形状の状態維持部６２を形成している。この状態維持部６２は、ガイドベース５７から突設した係合突起６４を係合させて透明部材ストッパー３８を第１状態に維持するための第１状態維持部６２ａと、第２状態に維持するための第２状態維持部６２ｂとを移動方向に並べて構成され、第１状態維持部６２ａを透明部材保持枠１１の回動軸寄りに形成し、第２状態維持部６２ｂを透明部材保持枠１１の自由端寄りに形成している。このような状態維持部６２を備えて、透明部材ストッパー３８を第１状態あるいは第２状態に状態変換すると、ガイドベース５７の係合突起６４が状態維持部６２に係合し、透明部材ストッパー３８は、第１状態あるいは第２状態を維持することができる。すなわち、この透明部材保持枠１１は、係合突起６４を第１状態維持部６２ａに係合すると、上方向移動規制部材５４を第１状態に維持することができ、係合突起６４を第２状態維持部６２ｂに係合すると、上方向移動規制部材５４を第２状態に維持することができる。
【００２７】
そして、前面枠３は、図１０に示すように、透明部材ストッパー３８に対向し得る位置に操作ハンドル収納部６６（本発明の操作部用収納部に相当）と操作ハンドル当接部６７（本発明の操作部用当接部に相当）を隣り合わせに備えている。操作ハンドル収納部６６は、第１状態における透明部材ストッパー３８の操作ハンドル５６を収納するためのものであり、前面枠ベース部材４の上部前面側に、第１状態での操作ハンドル５６を当接することなく収納可能な凹状空間を形成し、該凹状空間の奥行きを操作ハンドル５６の突設長さ（詳しくは、透明部材保持枠１１の裏面から操作ハンドル５６の先端までの長さ）よりも深く設定している。また、操作ハンドル当接部６７は、第２状態の透明部材ストッパー３８の操作ハンドル５６の先端が当接可能な平面部であり、前面枠ベース部材４の上部前面において、操作ハンドル収納部６６の横の位置で、透明部材保持枠１１の自由端寄りの裏側と対向する箇所に形成されている。
【００２８】
上記のような構成を備えたパチンコ遊技機１において、透明部材ストッパー３８を第１状態に変換すると、透明部材ストッパー３８の当接部５３が透明部材１２の上端に当接し、透明部材１２が上方向への移動を阻止される。この状態で透明部材保持枠１１を前面枠３に対して閉じると、操作ハンドル５６の先端が操作ハンドル収納部６６に収納されながら透明部材保持枠１１の裏面が前面枠ベース部材４の前面に近づく。さらに、透明部材保持枠１１と前面枠ベース部材４とを近づけると、操作ハンドル５６が前面枠ベース部材４に当接することなく操作ハンドル収納部６６に収納されて、透明部材保持枠１１は、前面枠３に対して十分に閉じた状態、すなわち正常位置で閉状態とすることができる（図１０（ａ）参照）。
【００２９】
そして、操作ハンドル５６は、操作ハンドル収納部６６に保護されて第２状態に変換できなくなる。したがって、透明部材１２と透明部材収納フレーム３７との間に隙間を形成されて、不正部材が挿入されてしまう虞がない。
【００３０】
一方、透明部材ストッパー３８を第２状態に変換したままで透明部材保持枠１１を前面枠３に対して閉じると、操作ハンドル５６の先端が操作ハンドル当接部６７に近づく。さらに、透明部材保持枠１１を前面枠ベース部材４に近づけると、操作ハンドル５６が操作ハンドル当接部６７に当接し、これにより透明部材保持枠１１が前面枠３に対して正常位置まで閉じられることを阻止する（図１０（ｂ）参照）。
【００３１】
このように、上方向移動規制部材５４は、前記第１状態あるいは第２状態に変換操作するための操作ハンドル５６を前記透明部材保持枠１１の後方に向かって突設し、前記前面枠３は、第１状態における前記操作ハンドル５６を当接することなく収納する操作ハンドル収納部６６と、第２状態における前記操作ハンドル５６が当接可能な操作ハンドル当接部６７とを備え、前記透明部材ストッパー３８を第１状態に変換して前記透明部材保持枠１１を閉じると、前記操作ハンドル５６が操作ハンドル収納部６６に収納されて透明部材保持枠１１が正常位置で閉状態となり、透明部材ストッパー３８を第２状態に変換して前記透明部材保持枠１１を閉じると、前記操作ハンドル５６が操作ハンドル当接部６７に当接して透明部材保持枠１１が正常位置まで閉じることを阻止されるようにしたので、透明部材ストッパー３８が第２状態のまま透明部材保持枠１１を前面枠３に対して閉じてしまうことを防止することができる。したがって、不正行為が発生する要因を確実に減少させることができる。
【００３２】
また、前記透明部材保持枠１１は、透明部材ストッパー３８を第１状態あるいは第２状態に維持可能な状態維持部６２を備え、前記状態維持部６２は、前記取付ベース部材３６に切り欠き形状であって、第１状態に維持するための第１状態維持部６２ａと、第２状態に維持するための第２状態維持部６２ｂとを上方向移動規制部材５４の移動方向に並べて構成され、第１状態維持部６２ａを透明部材保持枠１１の回動軸寄りに形成し、第２状態維持部６２ｂを透明部材保持枠１１の自由端寄りに形成し、前記上方向移動規制部材５４は、状態維持部６２に係合可能な係合突起６４を備え、前記係合突起６４を第１状態維持部６２ａに係合すると、上方向移動規制部材５４を第１状態に維持し、係合突起６４を第２状態維持部６２ｂに係合すると、上方向移動規制部材５４を第２状態に維持するようにしたで、透明部材ストッパー３８が第１状態あるいは第２状態のいずれかに変換した後に、不意に他方の状態に変換してしまうのを防ぐことができる。したがって、透明部材１２の取付作業あるいは交換作業をスムーズに行うことができる。
【００３３】
さらに、透明部材１２を透明部材保持枠１１から外すには、閉状態の透明部材保持枠１１を開いてから、透明部材ストッパー３８を第１状態から第２状態へ状態変換する。このとき、透明部材保持枠１１は、操作ハンドル５６が横に移動しても前面枠ベース部材４に当たらない程度に開くだけでよい。具体的には、本実施形態における操作ハンドル５６の先端が透明部材１２の後面よりも前に位置しているので、透明部材１２と前面枠ベース部材４との間に隙間ができる程度で十分である。そして、回動軸側にも十分に広い空間が確保できるまで透明部材保持枠１１を大きく開く必要がない。したがって、迅速に透明部材１２の取り外し準備をすることができる。
【００３４】
透明部材ストッパー３８を第２状態に変換したならば、透明部材１２は、上方向へ移動可能な状態になり、そのまま持ち上げられると透明部材収納フレーム３７から外れる。
【００３５】
なお、前面枠３は、操作ハンドル収納部６６に透明部材保持枠１１の開閉状態を検出可能な保持枠検出手段を備えてもよい。例えば、図１１に示す前面枠３は、操作ハンドル収納部６６の奥側内面に操作ハンドル５６の収納状態を検出するハンドル検出スイッチ７０（本発明の保持枠状態検出手段に相当）を備えている。このハンドル検出スイッチ７０は、制御装置（例えば、発射排出制御装置３１）に、配線を介して電気的に接続されており、操作ハンドル５６の先端が当接すると、操作ハンドル収納部６６に操作ハンドル５６が収納されたこと、すなわち透明部材ストッパー３８が第１状態に変換し、透明部材保持枠１１が前面枠３に対して十分に閉じた状態であることを検出して、検出信号を制御装置に送信できるように構成されている。
【００３６】
このように、前記前面枠３は、前記操作ハンドル５６が前記操作ハンドル収納部６６に収納されているか否かを検出することで透明部材保持枠１１の開閉状態を検出可能なハンドル検出スイッチ７０を備えたので、透明部材１２の移動が規制されたことと併せて、透明部材保持枠１１が前面枠３に対して十分に閉じられたかどうかを容易に確認することができる。
【００３７】
また、制御装置がハンドル検出スイッチ７０からの信号を受信したことを遊技開始（例えば、遊技球発射）のための条件の一つとすれば、透明部材保持枠１１が正常位置まで閉じていない状態、すなわち不正部材が遊技領域１０に挿入される虞がある状態で遊技を進めることを防ぐことができる。したがって、未然に不正行為を防止することができて好適である。
【００３８】
ところで、本発明におけるパチンコ遊技機１は、透明部材ストッパー３８の操作ハンドル５６と、前面枠ベース部材４の操作ハンドル当接部６７との間に、緩衝部材７２を設けてもよい。例えば、図１２に示す操作ハンドル５６′は、操作ハンドル当接部６７に当接し得る箇所、すなわち先端にゴム等の弾性材料をコーティングして緩衝部材７２を形成している。このような緩衝部材７２を操作ハンドル５６′に設けると、この緩衝部材７２は、前記操作ハンドル５６′と前記操作ハンドル当接部６７とが衝接する際に生じる衝撃力を緩和するので、操作ハンドル当接部６７に衝接しても操作ハンドル５６′が損傷し難い。したがって、透明部材ストッパー３８が第２状態のまま、誤って透明部材保持枠１１が勢いよく閉められてしまったとしても、透明部材ストッパー３８が壊れてしまうことを防止することができる。また、操作ハンドル５６′が操作ハンドル当接部６７に衝接する衝撃力を透明部材１２に伝わり難くして、透明部材ストッパー３８が第２状態のまま透明部材保持枠１１を閉めてしまった際に、透明部材１２にヒビが入ったり、透明部材１２が割れたりすることを防止することができる。
【００３９】
なお、緩衝部材７２は、上記衝撃力を緩和できるものであればどのようなものでもよい。例えば、透明部材保持枠１１の回動軸周辺に、透明部材保持枠１１の閉動作に抵抗する緩衝ダンパーを備えて、操作ハンドル５６′が操作ハンドル当接部６７に当接する直前で、透明部材保持枠１１が閉じる回動速さを遅くするようにしてもよい。
【００４０】
そして、透明部材ストッパー３８は、第２状態から第１状態への移動方向に向かって付勢されるようにしてもよい。例えば、図１３に示す透明部材ストッパー３８は、上方向移動規制部材５４の内側に空間を設けてばね７１（本発明の付勢手段の一つに相当）を収納し、このばね７１の一端を上方向移動規制部材５４の内壁のうち透明部材保持枠１１の回動軸側に、他端を取付ベース部材３６から後方に延設された係合部３６ａにそれぞれ係合している。なお、係合部３６ａは、上方向移動規制部材５４の内側空間に収納される状態で設けられている。このようにして、ばね７１は、上方向移動規制部材５４を第２状態から第１状態への移動方向へ向かって付勢しているので、透明部材ストッパー３８を第１状態へ変換し忘れることがなく、透明部材１２の上方向への移動を確実に規制することができる。
【００４１】
ところで、上記した実施形態において、透明部材保持枠１１は、透明部材ストッパー３８が第２状態のままでは正常位置まで閉じることを阻止されるように構成されていたが、本発明はこれに限らず、透明部材ストッパーが第２状態であっても自動的に第１状態に変換して正常位置まで閉じるようにしてもよい。
【００４２】
すなわち、遊技領域を形成した遊技盤が取り付けられた前面枠と、前記遊技領域の前方を覆う透明部材を保持して前記前面枠の前面側に対して開閉可能に取り付けられた透明部材保持枠とを備える遊技機において、
前記透明部材保持枠は、
前記前面枠の一側に回動可能に軸支するための取付ベース部材と、
前記取付ベース部材に取り付けられ、前記透明部材を上方から収納する透明部材収納フレームと、
前記透明部材収納フレームに収納された透明部材の上方向への移動を規制する上方向移動規制手段と、
を備え、
前記上方向移動規制手段は、
前記透明部材を上方向へ所定距離移動すると前記透明部材の上端が当接し、透明部材がさらに上方向へ移動しないように規制する上方向移動規制部材を備え、
前記上方向移動規制部材を横方向に移動することで、前記透明部材の上方向の移動を規制する第１状態と、前記透明部材の上方向の移動を規制しない第２状態とに変換可能であり、
前記前面枠は、
前記操作部用当接部と操作部用収納部との間に、前記操作部を操作部用収納部の方向に誘導する状態変換誘導空間を設け、
前記第２状態における操作部を前記操作部用当接部に当接させながら前記透明部材保持枠を閉じると、前記操作部が前記状態変換誘導空間を移動して前記操作部用収納部に誘導されて、前記上方向移動規制手段が第２状態から第１状態へ変換するようにしたことを特徴とする遊技機を構成してもよい。
【００４３】
加えて、前記状態変換誘導空間は、
操作部用当接部から操作部用収納部へ向かって傾斜した誘導傾斜部を備え、
前記操作部が誘導傾斜部に当接しながら前記状態変換誘導空間を移動するようにしてもよい。
【００４４】
さらに、前記上方向移動規制部材を第２状態から第１状態への移動方向に向かって付勢する付勢手段を備えてもよい。
【００４５】
例えば、図１４に示す第２実施形態の透明部材ストッパー３８は、基本的には第１実施形態のものと同じであるが、ガイドベース５７をガイドするガイド溝のうち、下側ガイド溝７５の形状が異なる。この下側ガイド溝７５は、途中から一段下に下げて形成され、第２状態において操作ハンドル５６が位置する側にこの操作ハンドル５６が嵌合可能なハンドル嵌合部７７を設けている。また、この透明部材ストッパー３８は、ガイドベース５７にコイルばね等の付勢部材７８（本発明の付勢手段の一つに相当）の一端を係止し、付勢部材７８の他端を取付ベース部材３６の回動軸側に係止して、ガイドベース５７が付勢部材７８により第２状態から第１状態への移動方向に向かって付勢されるように構成されている。
【００４６】
また、前面枠ベース部材４は、ハンドル嵌合部７７と対向し得る位置に操作ハンドル当接部８０を設け、この操作ハンドル当接部８０を傾斜下端に配置して、この傾斜下端から上り傾斜した誘導傾斜部８１を操作ハンドル収納部６６の奥側内面へ向かって形成し、操作ハンドル当接部８０と操作ハンドル収納部６６との間に、操作ハンドル５６を誘導する状態変換誘導空間８２を設けてある。
【００４７】
本実施形態では、このような構成を備えているので、透明部材ストッパー３８の操作ハンドル５６をハンドル嵌合部７７に嵌合し、第２状態のまま透明部材保持枠１１を閉方向に回動すると、操作ハンドル５６の先端が操作ハンドル当接部８０に当接する（図１５（ａ）参照）。さらに、操作ハンドル５６を前記操作ハンドル当接部８０に当接させながら透明部材保持枠１１を閉じ続けると、操作ハンドル５６が誘導傾斜部８１に当接しながら前記状態変換誘導空間８２を上方に移動する（図１５（ｂ）参照）。そして、前面枠ベース部材４の前面に当接して透明部材保持枠１１が十分に閉じると、操作ハンドル５６が状態変換誘導空間８２の上限まで達するとともに、ハンドル嵌合部７７から外れる（図１５（ｃ）参照）。すると、付勢部材７８の付勢力によりガイドベース５７が移動して、操作ハンドル５６が操作ハンドル収納部６６に移動するとともに、上方向移動規制部材５４の当接部５３が透明部材１２の上端に移動する。したがって、透明部材ストッパー３８は、透明部材保持枠１１を正常位置に達するまで閉じるだけで自動的に移動し、透明部材１２の上方向の移動を規制することができる。
【００４８】
このように、前記前面枠３は、前記操作ハンドル当接部８０と操作ハンドル収納部６６との間に、前記操作ハンドル５６を誘導する状態変換誘導空間８２を設け、前記第２状態における操作ハンドル５６を前記操作ハンドル当接部８０に当接させながら前記透明部材保持枠１１を閉じると、前記操作ハンドル５６が前記状態変換誘導空間８２を移動して前記操作ハンドル収納部６６に誘導されて、前記透明部材ストッパー３８が第２状態から第１状態へ変換するようにしたので、透明部材ストッパー３８を第１状態へ変換し忘れることがなく、透明部材１２の上方向への移動を確実に規制することができる。
【００４９】
また、操作ハンドル当接部８０は、前記操作ハンドル収納部６６へ向かって傾斜した誘導傾斜部８１を形成し、透明部材ストッパー３８が第２状態に変換されたままの状態で透明部材保持枠１１と閉じると、前記操作ハンドル５６が誘導傾斜部８１に当接しながら前記状態変換誘導空間８２を移動し、操作ハンドル収納部６６へ収納されるので、透明部材保持枠１１を閉じれば透明部材ストッパー３８が第１状態となる機構を、単純な構造で実現することができる。したがって、製造コストの低減に寄与することができる。
【００５０】
なお、上記した実施形態の透明部材保持枠１１は、前面に透明部材ストッパー３８の状態を示す表示部を設けてもよい。例えば、透明部材保持枠の前面に表示窓を開設し、透明部材ストッパーと連動する表示パネルを表示窓から臨ませて、透明ストッパーが状態変換すると、表示パネルが移動して表示窓から見える状態識別情報（例えば、色や文字）が切り換わるようにしてもよい。このようにすると、透明部材が透明部材ストッパーによって上方向への移動を規制されているかどうかを、視覚により簡単に確認することができる。したがって、より一層不正行為の防止を図り易くすることができる。
【００５１】
上記した実施形態は、代表的な遊技機であるパチンコ遊技機を例にして説明したが、本発明はこれに限らず、遊技領域の前方を透明部材で覆い、この透明部材を保持する透明材保持枠を備えた遊技機であればどのような遊技機でもよい。例えば、内部に封入した遊技球を循環させる封入球式パチンコ機、アレンジボール式遊技機、雀球式遊技機等の遊技機であってもよい。
【００５２】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００５３】
【発明の効果】
以上説明したように、本発明によれば、次の効果を奏する。
すなわち、前記透明部材保持枠は、取付ベース部材と、該取付ベース部材に設けられ、前記透明部材を上方から収納する透明部材収納フレームと、該透明部材収納フレームに収納された透明部材の上端に当接可能な当接部を有し、透明部材の上方向への移動を規制する上方向移動規制手段とを備え、前記上方向移動規制手段は、前記透明部材の上方において横方向に移動可能な上方向移動規制部材を備え、該上方向移動規制部材を移動して前記当接部を前記透明部材の上端に位置させる第１状態と、前記上方向移動規制部材を移動して前記当接部を前記透明部材の上端から外れた第２状態とに変換可能であるので、透明部材保持枠に保持された透明部材を上方向にずれないようにして、透明部材と透明部材保持枠との間に隙間が形成されるのを阻止することができる。したがって、不正部材が侵入するのを防ぎ、不正行為を防止することができる。また、前面枠に対して透明部材保持枠を大きく開かなくても、上方向移動規制部材が状態変換可能なスペースを十分に確保することができ、迅速に透明部材の取付作業あるいは交換作業を行うことができる。
【図面の簡単な説明】
【図１】パチンコ遊技機の正面図である。
【図２】パチンコ遊技機の背面図である。
【図３】前面枠の分解斜視図である。
【図４】透明部材保持枠の分解斜視図である。
【図５】透明部材保持枠の裏面図である。
【図６】透明部材保持枠の透明部材ストッパーを取り付けた部分の拡大図である。
【図７】図５で示した透明部材保持枠のＡ−Ａ断面拡大図である。
【図８】透明部材保持枠の透明部材ストッパーを取り付けた部分の斜視拡大図である。
【図９】透明部材保持枠の分解斜視拡大図である。
【図１０】透明部材保持枠を閉じたときの拡大断面図であり、（ａ）は透明部材ストッパーが第１状態の場合の説明図、（ｂ）は透明部材ストッパーが第２状態の場合の説明図である。
【図１１】ハンドル検出スイッチを備えた前面枠の拡大断面図である。
【図１２】緩衝部材を備えた前面枠の拡大断面図である。
【図１３】ばねを備えた上方向移動規制部材の説明図であり、（ａ）は第１状態の説明図、（ｂ）は第２状態の説明図、（ｃ）は分解斜視拡大図である。
【図１４】（ａ）は、第２実施形態の透明部材保持枠に透明部材ストッパーの概略図、（ｂ）は、第２実施形態における操作ハンドル収納部および操作ハンドル当接部の概略図、（ｃ）は第２実施形態における操作ハンドル収納部および操作ハンドル当接部の概略斜視図である。
【図１５】（ａ）は、第２実施形態における操作ハンドルが操作ハンドル当接部に当接する直前の説明図、（ｂ）は操作ハンドルが誘導傾斜部に沿って移動する状態説明図、（ｃ）は操作ハンドルが操作ハンドル収納部に達した状態説明図である。
【符号の説明】
１  パチンコ遊技機
２  機枠
３  前面枠
３ａ  ヒンジピン
３ｂ  ピン受け穴
４  前面枠ベース部材
５  遊技盤
６  表示装置
７  大入賞口
８  一般入賞口
９  アウト口
１０  遊技領域
１１  透明部材保持枠
１２  透明部材
１３  上皿ユニット
１４  下皿ユニット
１５  上皿
１６  下皿
１７  灰皿
１９  取付基部
２０  発射操作ユニット
２５  裏機構盤
２６  球タンク
２７  球誘導樋
２８  排出ユニット
３０  演出制御装置
３１  発射排出制御装置
３２  電源回路
３５  装飾部材
３６  取付ベース部材
３６ａ  係合部
３７  透明部材収納フレーム
３８  透明部材ストッパー
４０  開口部
４１  スピーカー
４２  球貸操作ユニット
４４  ヒンジ部
４４ａ  上ヒンジ部
４４ｂ  下ヒンジ部
４４ｃ  上ヒンジピン
４４ｄ  下ヒンジ穴
４６  回動軸側フレーム部材
４７  自由端側フレーム部材
４８  下部フレーム部材
５０  嵌合溝
５１  補強部材
５３  当接部
５４  上方向移動規制部材
５６  操作ハンドル
５７  ガイドベース
５９  ガイド溝
５９ａ  上側ガイド溝
６２  状態維持部
６２ａ  第１状態維持部
６２ｂ  第２状態維持部
６４  係合突起
６６  操作ハンドル収納部
６７  操作ハンドル当接部
７０  ハンドル検出スイッチ
７１  ばね
７２  緩衝部材
７５  下側ガイド溝
７７  ハンドル嵌合部
７８  付勢部材
８０  操作ハンドル当接部
８１  誘導傾斜部
８２  状態変換誘導空間
【図１】
2004298543.tif 000003
【図２】
2004298543.tif 000004
【図３】
2004298543.tif 000005
【図４】
2004298543.tif 000006
【図５】
2004298543.tif 000007
【図６】
2004298543.tif 000008
【図７】
2004298543.tif 000009
【図８】
2004298543.tif 000010
【図９】
2004298543.tif 000011
【図１０】
2004298543.tif 000012
【図１１】
2004298543.tif 000013
【図１２】
2004298543.tif 000014
【図１３】
2004298543.tif 000015
【図１４】
2004298543.tif 000016
【図１５】
2004298543.tif 000017